(57)【要約】【課題】  入力したデータを保存可能の携帯電話機に関し、そのセキュリティ機能並びにバックアップ機能を実現する。【解決手段】  保守サービスセンタ４からのバックアップ要求信号を、基地局２を介して受信した時に、呼出音を鳴動させない着信処理に移行するように制御する制御部１５の機能を含む受信手段と、バックアップ要求信号に従ってメモリダイヤルデータ，メールアドレスデータ等の入力設定しにより、メモリ１７に保持したデータを、基地局２を介して保守サービスセンタ４に送信する送信手段とを含む構成を有する。【選択図】        図１
2005184859.tif 000002
【特許請求の範囲】
【請求項１】
保守サービスセンタからのバックアップ要求信号を、基地局を介して受信した時に、呼出音を鳴動させない着信処理に移行する受信手段と、
前記バックアップ要求信号に従ってメモリダイヤルデータ，メールアドレスデータ等の入力設定したデータを、前記基地局を介して前記保守サービスセンタに送信する送信手段と
を備えたことを特徴とする携帯電話機。
【発明の詳細な説明】
【技術分野】
【０００１】
本発明は、紛失，盗難等による第三者の悪用を防止できる携帯電話機に関する。
携帯電話機は、技術の進歩により小型化並びに軽量化が進み、各種のデータを格納しておくことができると共に、例えば、ポケットに収納して容易に持ち運ぶことができるものである。その反面、落としたり，忘れたりすることによる紛失や、第三者による盗難の機会が多くなっている。このように、紛失，盗難に会った携帯電話機を第三者が使用すると、正規の所有者に課金され、又格納した各種データを悪用される場合がある。従って、紛失，盗難に会った携帯電話機による悪用を防止する手段が要望されている。
【背景技術】
【０００２】
携帯電話機の従来のセキュリティ機能として、暗証番号を用いたダイヤルロック機能が知られている。即ち、暗証番号によりダイヤルロック機能を設定すると、この携帯電話機を使用する時に、暗証番号を入力してダイヤルロック機能を解除する必要があり、従って、この暗証番号を知らない第三者の発呼操作を防止することができる。
【０００３】
又携帯電話機を紛失した場合や盗難に会った場合に、その携帯電話機の所有者が一般電話機から通信事業者の交換局等へ連絡し、その携帯電話機の番号を用いた発呼及び着呼を受付けないように要求することにより、その後は、携帯電話機の発呼，着呼を制御する交換局に於いて、その携帯電話機の発呼，着呼を受付けないように制御する手段も知られている。
【０００４】
又紛失，盗難の携帯電話機の正規の所有者が、通信事業者や交換局へ連絡し、その携帯電話機による発呼を受付けないようにすると共に、その携帯電話機に遠隔操作データを送信し、携帯電話機はこの遠隔操作データを受信識別することにより、格納されている各種のデータの読出禁止処理，各種のデータの消去，アラーム音の発生，携帯電話機の所在地の通報等を行わせる手段も提案されている（例えば、特許文献１参照）。
【特許文献１】特開平７−１９３８６５号公報
【発明の開示】
【発明が解決しようとする課題】
【０００５】
携帯電話機は、メモリを備えていることにより、多数のダイヤルデータ，メールアドレスデータ等の入力設定したデータを記憶させておくことができるものである。従って、この携帯電話機の紛失，盗難等により第三者が所持した時、ダイヤルロック機能を設定した場合でも、その記憶内容を参照した悪意呼が可能となる問題がある。その場合、前述のように、通信事業者に連絡して、紛失，盗難による携帯電話機に対して、記憶内容の消去等の制御を行うことにより、その悪用を回避することができる。
【０００６】
しかし、紛失，盗難等による携帯電話機が元の所有者に戻った時に、既に消去させた各種のデータを復元することは不可能である。その場合は、再び各種のデータの入力設定を行わなければならなくなる。或いは、予めバックアップをとっておくことにより、復元することができる。その場合、パソコン（パーソナルコンピュータ）等と組合せることにより、バックアップは可能であるが、携帯電話機単体ではバックアップをとることができないものである。
【０００７】
本発明は、携帯電話機のセキュリティ機能並びにバックアップ機能を実現することを目的とする。
【課題を解決するための手段】
【０００８】
本発明の携帯電話機は、保守サービスセンタからのバックアップ要求信号を、基地局を介して受信した時に、呼出音を鳴動させない着信処理に移行する受信手段と、前記バックアップ要求信号に従ってメモリダイヤルデータ，メールアドレスデータ等の入力設定したデータを、前記基地局を介して前記保守サービスセンタに送信する送信手段とを含む構成を有するものである。
【発明の効果】
【０００９】
本発明の携帯電話機は、紛失，盗難の携帯電話機１に入力設定されているデータを、保守サービスセンタ４のバックアップ用のメモリ２４にセーブし、その携帯電話機１が正規の所有者に戻った時に、バックアップ用のメモリ２４にセーブしたデータを、携帯電話機１のメモリ１７にダウンロードすることができるもので、従って、紛失，盗難の携帯電話機１の悪用を防止し、且つ戻ってきた時には、バックアップ用のメモリ２４にセーブした各種のデータを携帯電話機１のメモリ１７にダウンロードすることによって、再度各種のデータの入力設定の操作を行う必要がない利点がある。
【発明を実施するための最良の形態】
【００１０】
本発明の携帯電話機は、図１を参照すると、保守サービスセンタ４からのバックアップ要求信号を、基地局２を介して受信した時に、呼出音を鳴動させない着信処理に移行するように制御する制御部１５の機能を含む受信手段と、バックアップ要求信号に従ってメモリダイヤルデータ，メールアドレスデータ等の入力設定し、メモリ１７に保持したデータを、基地局２を介して保守サービスセンタ４に送信する送信手段とを含む構成を有する。
【実施例１】
【００１１】
図１は本発明の実施の形態の説明図であり、１は携帯電話機、２は基地局、３は交換網、４は保守サービスセンタ、５は一般電話機、１１はアンテナ、１２は送受共用器、１３は受信部（ＲＸ）、１４は送信部（ＴＸ）、１５は制御部、１６は各部を制御するプロセッサ（ＣＰＵ）、１７はメモリダイヤルデータ，メールアドレスデータ等の入力設定したデータを格納するメモリ、２１は構内交換機等の交換機、２２は呼制御装置、２３はホスト処理部、２４はバックアップ用のメモリを示す。なお、携帯電話機１のダイヤル用等の各種のキーや表示部は図示を省略している。
【００１２】
又携帯電話機１は、従来例と同様に、受信部１３や送信部１４等を含む送受信機能を備えており、基地局２を介して他の電話機等との間で通信を行うことができる。又電源オンの状態では、待ち受け中となり、相手電話機からの呼出しに対して、基地局２から制御チャネルによる呼出しを行い、基地局２又はその上位局と携帯電話機１との間の制御チャネルによる確認処理を行い、正規の携帯電話機の場合に、呼出音鳴動等があり、それに応答することによって通話路が形成されて、通話チャネルによる通話が可能となる。
【００１３】
又制御チャネルによる各種の制御情報を受信した場合、制御部１５又はプロセッサ１６の処理により、その制御情報に対応した制御を行うことができる。その場合、バックアップ制御要求情報が含まれている場合、呼出音鳴動のステップには移行しないように制御される。
【００１４】
又携帯電話機１のメモリ１７は、図示を省略したダイヤル釦等による入力操作に従って、プロセッサ１６の制御によりメモリダイヤルデータやメールアドレスデータ等を格納することができる。又このメモリ１７の内容は、プロセッサ１６の制御により、図示を省略した液晶パネル等の表示部に表示することができる。又この携帯電話機１は、基地局２との間の無線回線を介して交換網３と接続することができる。
【００１５】
又交換機２１，呼制御装置２２，ホスト処理部２３等を含む保守サービスセンタ４は、交換網３に接続されている。又呼制御装置２２とホスト処理部２３とを含む制御部によって、携帯電話機のバックアップ制御を行うものである。又ホスト処理部２３のバックアップ用のメモリ２４は、磁気ディスク装置等によって構成することも可能であり、携帯電話機１のメモリ１７に格納された各種データをセーブし、又セーブした各種データを、携帯電話機１のメモリ１７にダウンロードすることもできる。
【００１６】
携帯電話機１から保守サービスセンタ４に発呼して、バックアップサービスを要求することができる。又は携帯電話機１を紛失した場合や盗難に会った場合に、一般電話機５から保守サービスセンタ４に発呼して、その携帯電話機１の各種データのバックアップ及び消去を要求することができる。保守サービスセンタ４は、携帯電話番号，暗証番号等を含むバックアップ制御要求をホスト処理部２３が識別すると、呼制御装置２２，交換機２１，交換網３，基地局２を介して携帯電話機１の呼出制御を行い、携帯電話機が待ち受け状態或いは通話中の場合に、バックアップ制御信号を送出し、携帯電話機１のプロセッサ１６は、このバックアップ制御信号を識別すると、呼出音鳴動等のステップに移行することなく、メモリ１７に格納されているメモリダイヤルデータやメールアドレスデータ等の入力設定したデータを保守サービスセンタ４に送出する。
【００１７】
保守サービスセンタ４のホスト処理部２３は、携帯電話機１が送出したメモリダイヤルデータやメールアドレスデータ等の入力設定したデータを、バックアップ用のメモリ２４に、携帯電話機１の番号，暗証番号等と共に格納する。そして、携帯電話機１が正規の所有者に戻った時に、保守サービスセンタ４のバックアップ用のメモリ２４から、その携帯電話機１のメモリ１７に、メモリダイヤルデータやメールアドレスデータをダウンロードする。従って、正規の携帯電話機１の所有者は、メモリダイヤルデータやメールアドレスデータを再入力することなく、以前の状態で使用することができる。
【００１８】
図２及び図３は本発明の実施の形態のシーケンス説明図であり、携帯電話機の紛失者と、保守サービスセンタ４と、携帯電話機１との関係を示し、携帯電話機１を紛失した後に、保守サービスセンタ４にバックアップサービス要求を行う場合の処理（Ａ）〜（Ｄ）を示す。
【００１９】
携帯電話機紛失者は、先ず、自宅の固定電話機等の一般電話機等から保守サービスセンタ４に発呼し、保守サービスセンタ４の自動応答等により交換網３を介した経路が設定され、通信中状態となる。即ち、処理（Ａ）を実行する。
【００２０】
そして、保守サービスセンタ４の呼制御装置２２は、音声ガイダンスを送出する。携帯電話機紛失者は、音声ガイダンスに従って携帯電話番号と暗証番号とを入力する。保守サービスセンタは、ホスト処理部２３に於いて携帯電話番号と暗証番号とのチェックを行う。例えば、桁数のチェックや、携帯電話機の位置登録を行う管理局等に照会して、受信した携帯電話番号が正しいか否か等のチェックを行う。
【００２１】
チェック結果、ＮＧの場合、直ちに回線切断要求を送出するか、或いは３回等の所定回数の入力操作の繰り返しを行わせて、何れもＮＧの場合に回線切断要求を送出することもできる。又チェックＯＫの場合は、携帯電話機紛失者に確認要求及び連絡先要求を行う。
【００２２】
携帯電話機紛失者は、保守サービスセンタ４からの携帯電話番号及び暗証番号の入力項目の確認を行って、連絡先電話番号を入力する。保守サービスセンタ４は、この連絡先電話番号と、携帯電話番号と、暗証番号とをホスト処理部２３のバックアップ用のメモリ２４に格納し、携帯電話機紛失者に受付登録完了を通知する。このような処理（Ｂ）を前述の処理（Ａ）の次に実行する。
【００２３】
保守サービスセンタ４は、登録完了後、一定時間後に、バックアップ用のメモリ２４に格納した携帯電話番号に対するダイヤリングを行う。携帯電話機が通話中の場合、図４に示す処理が行われ、又は待ち受け中の場合、図５に示す処理が行われる。そして、通信中状態となる。この通信中状態は制御チャネル等による保守サービスセンタ４と携帯電話機との間の制御情報の通信可能の状態を示す。そして、保守サービスセンタ４からバックアップ制御開始要求を送出する。携帯電話機は、これに対する応答を保守サービスセンタ４に送出する。以上の処理（Ｃ）が実行された後、処理（Ｄ）が実行される。
【００２４】
即ち、携帯電話機に於いては、保守サービスセンタ４からのバックアップ制御開始要求に従って、図６に示すバックアップ制御を行う。保守サービスセンタ４は、バックアップ完了を確認すると、バックアップ用のメモリ２４に格納された携帯電話機紛失者の連絡先電話番号を用いて発呼し、バックアップ完了通知を行うと共に、バックアップしたデータの管理番号を通知し、更に、登録受付けした携帯電話番号と暗証番号との入力を要求する。携帯電話機紛失者は、この要求に従って携帯電話番号と暗証番号とを入力する。
【００２５】
保守サービスセンタ４は、バックアップ用のメモリ２４に格納された携帯電話番号と暗証番号とを照合チェックし、ＮＧの場合は回線切断、或いは、入力操作を繰り返し行わせ、３回等の所定回数の入力によってもＮＧの場合に回線切断とする。又チェックＯＫの場合は、保存期間入力指示を行う。
【００２６】
携帯電話機紛失者は、６月間，１年間等の保存を希望する期間を入力する。保守サービスセンタ４は、この保存期間を設定し、保存完了通知を送出する。この保存期間終了の時は、バックアップ用のメモリ２４に保存したデータを消去する。なお、予め、バックアップしたデータの保存期間を固定的に定めた場合は、この保存期間入力を省略することができる。又この保存期間に対応して課金する制御を行うこともできる。
【００２７】
図４は本発明の実施の形態の通話中バックアップ制御のシーケンス説明図であり、保守サービスセンタ４は、登録受付けした携帯電話番号を基に基地局２を介して発信要求（呼出し指示）を携帯電話機に対して行う。マルチコール用携帯電話機では、その通信中（通話中）において空呼判定，着信判定を行い、判定が正常（着信受付ＯＫ）であれば、保守サービスセンタに対して半身応答（呼出応答指示）を送出すると、基地局２を介して保守サービスセンタ４へ転送する。
【００２８】
保守サービスセンタ４は、バックアップ制御要求を基地局２を介して携帯電話機に送出する。携帯電話機は、バックアップ制御モードに移行し、バックアップ制御応答を保守サービスセンタへ送出する。
【００２９】
図５は本発明の実施の形態の待ち受け中のバックアップ制御のシーケンス説明図であり、保守サービスセンタ４は、登録受付けした携帯電話番号を基に基地局２に発信要求を行い、基地局２は通話中でないことから、ページングを行う。携帯電話機がこれに対して応答できない場合、例えば、サービス圏外の場合等に於いては、保守サービスセンタ４は、再び一定時間経過後に、基地局２に発信要求を行い、基地局２はページングを行う。
【００３０】
この時、携帯電話機が待ち受け中の状態であると、応答するから、保守サービスセンタ４は、バックアップ制御開始要求を行う。それによって、携帯電話機は待ち受け中の状態からバックアップ制御モードに移行する。
【００３１】
図６は本発明の実施の形態のバックアップ制御のシーケンス説明図であり、保守サービスセンタ４からのバックアップ制御開始要求により、携帯電話機はバックアップ制御モードに移行し、その応答を基地局２を介して保守サービスセンタ４に送出すると、保守サービスセンタ４は、メモリダイヤルデータ，メールアドレスデータ等の入力設定したデータの読出要求を基地局２を介して携帯電話機に送出する。
【００３２】
携帯電話機は、プロセッサ（ＣＰＵ）１６（図１参照）の制御により、メモリ１７に格納されているメモリダイヤルデータ，メールアドレスデータ等の入力設定したデータを読出して送信部１４により送信する。１回の送信処理で全データの送信が終了できない場合は、送信完了までこの処理を繰り返す。
【００３３】
そして、携帯電話機からのメモリダイヤルデータ，メールアドレスデータ等の入力設定したデータの送信が完了すると、保守サービスセンタ４は、その送信完了通知により、先に登録受付けを行った携帯電話番号，暗証番号，管理番号と共に、メモリダイヤルデータ，メールアドレスデータ等のデータを、ホスト処理部２３のバックアップ用のメモリ２４にセーブし、バックアップ制御完了通知を基地局２を介して携帯電話機に送出する。
【００３４】
携帯電話機は、このバックアップ制御完了通知により、プロセッサ１６の制御によってメモリ１７に格納されていたメモリダイヤルデータ，メールアドレスデータ等のデータを消去する。又保守サービスセンタ４から、バックアップ制御を要求した契約者（携帯電話機紛失者の連絡先電話番号）へバックアップ完了通知を行う。
【００３５】
図７は本発明の実施の形態のバックアップ制御のシーケンス説明図であり、携帯電話機紛失者に、紛失，盗難の携帯電話機が戻った時の処理を示し、携帯電話機紛失者が一般電話機から保守サービスセンタ４へ発呼し、保守サービスセンタ４の応答により通信中となり、保守サービスセンタ４の呼制御装置による制御によって音声ガイダンスが送出され、それに基づいて、管理番号，携帯電話番号，暗証番号を入力する。
【００３６】
保守サービスセンタ４は、ホスト処理部２３に於いて、携帯電話機紛失者からの管理番号，携帯電話番号，暗証番号を、バックアップ用のメモリ２４に格納されている内容と照合チェックし、ＮＧの場合、直ちに回線切断、或いは３回等の所定回数の入力操作の繰り返し後もＮＧの場合に回線切断とする。又チェックＯＫの場合は、受付通知を行う。そして、携帯電話機に対するメモリダイヤルデータ，メールアドレスデータ等のデータの送信制御を行う。
【００３７】
図８は本発明の実施の形態のバックアップ制御のシーケンス説明図であり、図７のメモリダイヤルデータ，メールアドレスデータ等のデータの送信制御の処理を示すものである。保守サービスセンタ４から基地局２を介して携帯電話機に発信要求を行い、携帯電話機の応答によりバックアップ制御開始通知を行う。これに対して携帯電話機から応答を送出すると、保守サービスセンタ４のバックアップ用のメモリ２４からメモリダイヤルデータ，メールアドレスデータ等のセーブしたデータを読出して送信する。
【００３８】
携帯電話機は、正常受信により受信確認応答を送出し、保守サービスセンタ４は、次のメモリダイヤルデータ，メールアドレスデータ等のデータをバックアップ用のメモリ２４から読出して送信する。これを繰り返して、バックアップ用のメモリ２４に保持していたメモリダイヤルデータ，メールアドレスデータ等のデータを総て読出して送信すると、バックアップ用のメモリ２４をクリアし、送信完了通知を送出する。携帯電話機は、送信完了通知により、プロセッサ１６の制御によりメモリ１７にメモリダイヤルデータ，メールアドレスデータ等のデータを格納し、回線切断要求を送出する。保守サービスセンタ４は、契約者（携帯電話機紛失者）へ完了通知を行う。
【００３９】
前述のバックアップ制御開始要求等は、制御チャネルを介して携帯電話機に送信することができ、携帯電話機は、そのプロセッサ１６又は制御部１５による受信識別によって、バックアップ制御モードへの移行を行うことができる。又図６に於けるメモリダイヤル，メールアドレス等のデータの消去処理は、保守サービスセンタ４からのバックアップ制御完了通知を受信識別することにより、メモリ１７に格納されているメモリダイヤルデータ，メールアドレスデータ等のデータを消去することになる。
【００４０】
又前述のメモリダイヤルデータ，メールアドレスデータ等のデータを携帯電話機から保守サービスセンタ４へ転送してセーブする場合、及び保守サービスセンタ４のバックアップ用のメモリ２４から読出したメモリダイヤルデータ，メールアドレスデータのデータを携帯電話機へ転送してダウンロードする場合のデータ形式は、既に知られている固定長パケットや可変長パケット等の各種のフォーマットを選択して転送することができる。
【００４１】
又図７及び図８に示すバックアップ制御の処理は、携帯電話機紛失者が一般電話機から保守サービスセンタ４に発呼した場合を示すが、戻ってきた携帯電話機を用いることができる。なお、この場合、紛失，盗難の携帯電話機の発呼処理の停止を要求していると、保守サービスセンタ４への発呼も不可能となり、一般電話機からの発呼によることになる。
【図面の簡単な説明】
【００４２】
【図１】本発明の実施の形態の説明図である。
【図２】本発明の実施の形態のシーケンス説明図である。
【図３】本発明の実施の形態のシーケンス説明図である。
【図４】本発明の実施の形態の通話中バックアップ制御のシーケンス説明図である。
【図５】本発明の実施の形態の待ち受け中のバックアップ制御のシーケンス説明図である。
【図６】本発明の実施の形態のバックアップ制御のシーケンス説明図である。
【図７】本発明の実施の形態のバックアップ制御のシーケンス説明図である。
【図８】本発明の実施の形態のバックアップ制御のシーケンス説明図である。
【符号の説明】
【００４３】
１  携帯電話機
２  基地局
３  交換網
４  保守サービスセンタ
５  一般電話機
１１  アンテナ
１２  送受共用器
１３  受信部（ＲＸ）
１４  送信部（ＴＸ）
１５  制御部
１６  プロセッサ（ＣＰＵ）
１７  メモリ
２１  交換機
２２  呼制御装置
２３  ホスト処理部
２４  バックアップ用のメモリ
【図１】
2005184859.tif 000003
【図２】
2005184859.tif 000004
【図３】
2005184859.tif 000005
【図４】
2005184859.tif 000006
【図５】
2005184859.tif 000007
【図６】
2005184859.tif 000008
【図７】
2005184859.tif 000009
【図８】
2005184859.tif 000010